(57)【特許請求の範囲】
【請求項１】
ある程度の大きさ以下に予め切断された木材やその他の適宜被破砕物を、小さく破砕できるようにした破砕装置であって、上方に投入口が設けられ、下方に排出口が設けられているケーシングと、このケーシング内に回転自在に軸架される破砕ドラムと、この破砕ドラムを駆動回転せしめる適宜駆動手段とを備え、破砕ドラムの外表面に互換可能に装着した複数の破砕突起によって被破砕物を破砕できるように構成され、破砕突起は、破砕ドラムのドラム本体の周胴板に設けた複数の雌ネジ孔に螺着可能な取付部と、前記周胴板の外表面に突出するように配される破砕歯部とからなり、この破砕歯部と取付部には、その中心を貫通すると共に、小さく破砕された被破砕物をドラム本体内に通過させるような貫通孔を設け、この貫通孔の内表面の一部或いは全部を横断面略多角形状に構成し、貫通孔に嵌挿可能な棒レンチ等によって、破砕突起をドラム本体に装着、取外し可能となるように構成したことを特徴とする破砕装置。
【請求項２】
貫通孔の横断面形状を略正六角形状としたことを特徴とする請求項１記載の破砕装置。
【請求項３】
破砕突起の破砕歯部の外表面に、貫通孔に連続するような切欠溝を複数切設したことを特徴とする請求項１または請求項２記載の破砕装置。
【発明の詳細な説明】
【０００１】
【発明の属する技術分野】
本発明は、主に、適宜木材（例えば、間伐材や、剪定材や、廃材や、その他）等や、その他の適宜被破砕物を破砕できるようにした破砕装置に係り、特に、適宜被破砕物を破砕することで損耗する破砕ドラムの破砕歯となる破砕突起を簡単に且つ確実に互換装着できるように工夫した経済的な破砕装置に関するものである。
【０００２】
【従来の技術】
従来、この種の破砕装置としては種々のものが提供されており、例えば、ケーシング内に一対のシャフトを駆動回転可能に設け、この一対のシャフトに回転切断刃を多数設けた構成のものが数多く創出されている。
【０００３】
【発明が解決しようとする課題】
ところが、従来の破砕装置にあっては、被破砕物の破砕をある程度続けて回転切断刃の刃部が損耗すると、極端にその破砕能率が低下する難点や、刃部自体が損耗し易い難点があり、しかも、損耗した回転切断刃は、その交換コスト等が高くなり、経済的な負担が大きい等の難点があった。
【０００４】
【課題を解決するための手段】
そこで、本発明は、前述の如き難点等を解消すると共に、被破砕物を小さく、能率良く破砕でき、長期に亙って安定的な破砕能力を維持でき、破砕突起の互換装着作業もレンチ等によって極めて簡単に且つ短時間で行え、取扱いが容易で、構成簡素で、耐久性に優れ、量産に適し、低廉で、経済的な破砕装置を提供できるようにすべく創出されたもので、請求項１記載の破砕装置Ｓにあっては、ある程度の大きさ以下に予め切断された木材やその他の適宜被破砕物を、小さく破砕できるようにした破砕装置Ｓであって、上方に投入口１が設けられ、下方に排出口が設けられているケーシングＡと、このケーシングＡ内に回転自在に軸架される破砕ドラムＢと、この破砕ドラムＢを駆動回転せしめる適宜駆動手段とを備え、破砕ドラムＢの外表面に互換可能に装着した複数の破砕突起１５によって被破砕物を破砕できるように構成され、破砕突起１５は、破砕ドラムＢのドラム本体１０の周胴板１１に設けた複数の雌ネジ孔１１ａに螺着可能な取付部１７と、前記周胴板１１の外表面に突出するように配される破砕歯部１６とからなり、この破砕歯部１６と取付部１７には、その中心を貫通すると共に、小さく破砕された被破砕物をドラム本体１０内に通過させるような貫通孔１８を設け、この貫通孔１８の内表面の一部或いは全部を横断面略多角形状に構成し、貫通孔１８に嵌挿可能な棒レンチ等によって、破砕突起１５をドラム本体１０に装着、取外し可能となるように構成する手段を採用した。
【０００５】
また、六角棒レンチ等によって、破砕突起を確実に且つ簡単に回転せしめられるようにし、その互換装着が行い易く、より取扱い易くすべく、請求項２記載の破砕装置Ｓにあっては、貫通孔１８の横断面形状を略正六角形状とする手段を採用した。
【０００６】
更に、被破砕物をより小さく且つ能率良く破砕できるようにすべく、請求項３記載の破砕装置Ｓにあっては、破砕突起１５の破砕歯部１６の外表面に、貫通孔１８に連続するような切欠溝１９を複数切設する手段を採用した。
【０００７】
【発明の実施の形態】
以下、本発明を図示例に基づいて説明すると、次の通りである。
本発明は、例えば、ある程度の大きさ以下に予め切断された適宜木材（例えば、間伐材や、剪定材や、廃材や、その他）等やその他の適宜被破砕物を、小さく破砕できるようにした破砕装置Ｓである。
【０００８】
更に、この破砕装置Ｓは、上方に投入口１が、下方に排出口が設けられているケーシングＡと、このケーシングＡ内に回転自在に軸架されると共に、略水平に配される破砕ドラムＢと、この破砕ドラムＢを駆動回転せしめる適宜駆動手段と、ケーシングＡ下方の排出口がわ部分に設けられる超過寸法の被破砕物を通さないパンチングプレート等からなるスクリーン２とを備え（図１参照）、破砕ドラムＢの外表面に互換可能に装着した複数の破砕突起１５によって被破砕物を破砕できるように構成されている。
【０００９】
そして、破砕突起１５は、破砕ドラムＢのドラム本体１０の周胴板１１に設けた複数の雌ネジ孔１１ａに螺着可能な取付部１７と、前記周胴板１１の外表面に突出するように配される破砕歯部１６とからなり、この破砕歯部１６と取付部１７には、その中心を貫通するような貫通孔１８を設け、この貫通孔１８の一部或いは全部を横断面略多角形状に構成し、この貫通孔１８に嵌挿可能なレンチ等によって、破砕突起１５をドラム本体１０に装着、取外し可能となるように構成されている（図３参照）。すなわち、破砕突起１５は、損耗した場合にその互換装着作業がレンチ等によって誰でも簡単に、確実に、且つ短時間で行えるように構成されている。
【００１０】
前記ケーシングＡは、例えば、適宜金属板材等によって構成されており、上部にはホッパー等が連設される投入口１が設けられ、下部には被破砕物をケーシングＡ外に排出するための排出口が設けられている。しかも、ケーシングＡ下部には、スクリーン２の透孔を通過してきた被破砕物を受けて、排出口がわにスムーズに案内できるように形成した受部５が設けられている。
【００１１】
また、ケーシングＡ内の排出口（受部５）がわ部分に配されるスクリーン２は、適宜金属板に適宜寸法、形状の透孔を多数穿設してなるパンチングプレートの如く構成されており、このスクリーン２はケーシングＡに取外し可能となるように装着されている。しかも、スクリーン２は、破砕ドラムＢの略下部がわ外表面に沿うような湾曲状態に形成されると共に、破砕ドラムＢに接近した状態に配されて、破砕ドラムＢの複数の破砕突起１５で被破砕物を小さく破砕できるように構成されている。しかして、スクリーン２は、所定寸法以下に粉砕された被破砕物を複数の透孔を介して排出口（受部５）がわに通過させて、超過寸法の被破砕物を排出口（受部５）がわに通さないように構成されている。
【００１２】
図中６は、ケーシングＡの他方の側板下部に設けられた送出口で、この送出口６は、破砕ドラムＢの一側部がわから破砕ドラムＢ内を通って他側部がわに送給される空気の圧力によって、破砕ドラムＢ内の被破砕物をケーシングＡ外に排出できるように構成されたものである。すなわち、破砕突起１５の貫通孔１８を通過して破砕ドラムＢ内に入った小さく破砕された被破砕物を、空気の圧力を利用してケーシングＡ外にスムーズに排出できるように構成されている。しかも、送出口６は、適宜パイプ等を介してケーシングＡ外で排出口に連続するパイプ等に連設されており、被破砕物を纏めて処理できるように形成されている。
【００１３】
ところで、ケーシングＡには、その一部が開閉自在となるような窓部や開閉扉等を設けておき、破砕突起１５の互換装着作業がより行い易くなるように構成してあっても良い（図示せず）。また、ケーシングＡ自体が揺動分離できるように構成し、破砕突起１５の互換装着作業や、その他の保守点検作業等がより行い易くなるように構成してあっても良い。
【００１４】
尚、ケーシングＡの具体的構成、形状、寸法、材質、投入口１の具体的構成、形状、寸法、配設位置、排出口の具体的構成、形状、寸法、配設位置、スクリーン２の具体的構成、形状、寸法、材質、配設位置、装着手段、透孔の具体的形状、寸法、数、配設位置、受部５の具体的構成、形状、寸法、配設位置、送出口６の具体的構成、形状、寸法、配設位置、数等は図示例等に限定されることなく適宜自由に設定、変更できるものである。
【００１５】
また、ケーシングＡ内に配される破砕ドラムＢは、回転軸１２を介してケーシングＡ内で回転自在に支持されるドラム本体１０と、このドラム本体１０の外表面に装着される複数の破砕突起１５とからなる。
【００１６】
そして、ドラム本体１０は、略円筒状に周胴板１１を形成し、この周胴板１１の両端寄り内周面に、例えば、回転軸１２に略十字状に配される複数の支持腕１３の先端部分を固着して構成されており、ドラム本体１０の左右側部は開放状態となるように形成されている。しかも、周胴板１１には、破砕突起１５を螺着できるようにした複数の雌ネジ孔１１ａが、例えば、千鳥状（或いは、その他の配列状態）に設けられている。
【００１７】
更に、回転軸１２は、ケーシングＡの一対の側板等に固定される軸受け等を介して略水平に軸支され、その一端部には適宜駆動手段が連繋されて、駆動回転可能となるように構成されている。
【００１８】
前記支持腕１３は、例えば、適宜ファンの如く薄板状で、回転軸１２に対して略斜めに配されるように形成し、破砕ドラムＢの回転に伴って、ケーシングＡの一側がわから他側がわに向って強制的に空気の流れが発生するように構成してある。すなわち、支持腕１３によって、破砕ドラムＢ内の被破砕物を空気の圧力で送出口６がわに連続的に送給できるよう構成されている。しかして、支持腕１３は、回転軸１２と周胴板１１とを連結する機能と、破砕ドラムＢ内に強制的に空気の流れを発生させる機能とを兼用させることが可能であり、この種の破砕装置にあっては、非常に無駄がなく、構成の簡素化や、コンパクト化等に役立つ優れたものとなる。
【００１９】
ところで、破砕ドラムＢ内の被破砕物を送出口６がわに連続的に送給できるようような手段としては、回転軸１２の適宜位置に別途ファンを適数固定するようにしても良い。また、このファンは、ケーシングＡの一方の側板に設けた凹部等に収まるように形成して、破砕ドラムＢ内の被破砕物が送出口６がわによりスムーズに移動できるようにしても良い（図示せず）。尚、前記ファンの具体的構成、形状、寸法、数、配設位置等は、図示例等に限定されることなく、適宜自由に設定、変更できるものである。
【００２０】
前記破砕突起１５は、破砕ドラムＢの周胴板１１の雌ネジ孔１１ａに螺着可能な取付部１７と、周胴板１１の外表面に突出するように配される破砕歯部１６とからなり、この破砕歯部１６と取付部１７には、その中心を貫通するような貫通孔１８が設けられている。しかも、この貫通孔１８の一部或いは全部は、横断面略多角形状に構成され、貫通孔１８に嵌挿可能なレンチ等によって、破砕突起１５をドラム本体１０に装着、取外し可能となるよう構成されている。
【００２１】
そして、取付部１７は、例えば、短筒状を呈し、その外周面に雄ネジが設けられており、雌ネジ孔１１ａに確実に且つスムーズに螺着できるように形成されている。
【００２２】
また、破砕歯部１６は、例えば、取付部１７より大きな略短筒状を呈し、その上端周縁部分に、貫通孔１８に連続するような複数の切欠溝１９が切設されている。すなわち、切欠溝１９によって破砕歯部１６に於ける破砕角部が増すようになり、被破砕物を破砕突起１５で破砕する際に、被破砕物をより小さく且つ能率良く破砕できるように構成してある。しかも、小さく破砕された被破砕物が切欠溝１９を通って貫通孔１８内に移動せしめ易くなるように形成してある。
【００２３】
更に、貫通孔１８の一部或いは全部は、例えば、その横断面形状が略正六角形状を呈しており、六角棒レンチ等を貫通孔１８に嵌挿せしめて、破砕突起１５を確実に且つ簡単に回転せしめられるように形成してある。
【００２４】
尚、破砕ドラムＢの具体的構成、形状、寸法、材質、配設位置、ドラム本体１０の具体的構成、形状、寸法、材質、周胴板１１の具体的構成、形状、寸法、材質、雌ネジ孔１１ａの具体的寸法、数、配設位置、回転軸１２の具体的構成、形状、寸法、材質、支持腕１３の具体的構成、形状、寸法、材質、配設位置、数、破砕突起１５の具体的構成、形状、寸法、材質、数、配設位置、破砕歯部１６の具体的構成、形状、寸法、材質、取付部１７の具体的構成、形状、寸法、材質、貫通孔１８の具体的構成、形状、寸法、切欠溝１９の具体的構成、形状、寸法、数、配設位置等は図示例等に限定されることなく適宜自由に設定、変更できるものである。
【００２５】
【発明の効果】
従って、請求項１記載の破砕装置Ｓは、ある程度の大きさ以下に予め切断された木材やその他の適宜被破砕物を、小さく破砕できるようにした破砕装置Ｓであって、上方に投入口１が設けられ、下方に排出口が設けられているケーシングＡと、このケーシングＡ内に回転自在に軸架される破砕ドラムＢと、この破砕ドラムＢを駆動回転せしめる適宜駆動手段とを備え、破砕ドラムＢの外表面に互換可能に装着した複数の破砕突起１５によって被破砕物を破砕できるように構成され、破砕突起１５は、破砕ドラムＢのドラム本体１０の周胴板１１に設けた複数の雌ネジ孔１１ａに螺着可能な取付部１７と、前記周胴板１１の外表面に突出するように配される破砕歯部１６とからなり、この破砕歯部１６と取付部１７には、その中心を貫通すると共に、小さく破砕された被破砕物をドラム本体１０内に通過させるような貫通孔１８を設け、この貫通孔１８の内表面の一部或いは全部を横断面略多角形状に構成し、貫通孔１８に嵌挿可能な棒レンチ等によって、破砕突起１５をドラム本体１０に装着、取外し可能となるように構成したので、被破砕物は破砕ドラムＢの複数の破砕突起１５によって削られるようにして小さく破砕することができるようになり、被破砕物を能率良く破砕できるようになる。しかも、構成が簡素で、耐久性に優れ、量産に適し、低廉で、経済的な破砕装置Ｓを提供できるようになる。
【００２６】
そして、被破砕物の破砕を連続的に行っても、破砕突起１５が損耗し難いと共に、その破砕能力や破砕能率が低下し難く、長期に亙って安定的な破砕能力を維持できるようになる。
しかも、破砕突起１５の破砕能力が低下した場合は、破砕突起１５を互換装着するだけで、元の破砕能力が得られるようになり、その互換装着作業も棒レンチ等によって極めて簡単に且つ短時間で行えるようになる。
加えて、破砕突起１５の互換装着作業は、ケーシングＡや破砕ドラムＢ等を分解することなく行え、破砕ドラムＢから損耗した破砕突起１５を取外すことが容易に行えるようになると共に、破砕ドラムＢに新しい破砕突起１５を装着することが容易に行えるようになる。すなわち、損耗した破砕突起１５を誰でも簡単に、確実に、迅速に互換装着でき、取扱いが容易な破砕装置Ｓとなる。
【００２７】
それから、破砕歯部１６と取付部１７には、その中心を貫通するような貫通孔１８を設けてあるので、破砕突起１５で小さく破砕された被破砕物の一部を、貫通孔１８を通過させて破砕ドラムＢ内に送ることができるようになる。
【００２８】
また、請求項２記載の破砕装置Ｓは、貫通孔１８の横断面形状を略正六角形状としたので、六角棒レンチ等を貫通孔１８に嵌挿せしめて、破砕突起１５を回転せしめることが確実に且つ簡単に行えるようになり、互換装着し易く、より取扱い易い破砕突起１５となる。
【００２９】
更に、請求項３記載の破砕装置Ｓは、破砕突起１５の破砕歯部１６の外表面に、貫通孔１８に連続するような切欠溝１９を複数切設したので、被破砕物を破砕突起１５で破砕する際に、切欠溝１９の角部が増し、被破砕物をより小さく且つ能率良く破砕できるようになる。
【図面の簡単な説明】
【図１】  本発明の破砕装置を例示する概略縦断側面図である。
【図２】  本発明の破砕装置を例示する概略縦断正面図である。
【図３】  本発明の破砕装置に於ける破砕ドラムの一部を例示する一部切欠斜視図である。
【図４】  本発明の破砕装置に於ける他の破砕突起を例示する斜視図である。
【符号の説明】
Ｓ      破砕装置
Ａ      ケーシング
１      投入口                        ２      スクリーン
５      受部                          ６      送出口
Ｂ      破砕ドラム
１０    ドラム本体                    １１    周胴板
１１ａ  雌ネジ孔                      １２    回転軸
１３    支持腕
１５    破砕突起                      １６    破砕歯部
１７    取付部                        １８    貫通孔
１９    切欠溝
【図１】
0003760279.tif 000002
【図２】
0003760279.tif 000003
【図３】
0003760279.tif 000004
【図４】
0003760279.tif 000005